(57)【特許請求の範囲】
【請求項１】
首に掛ける首輪部を有し、首から下げた状態において脊椎に沿って喉から恥骨付近に向かう第１ユニットと、
頭部に装着する第２ユニットと、
を備えたクリスタルヒーリング用具であって、
前記第１ユニットは、首から下げた状態において下から上に向かって順に、
赤系の第１番目の色のヒーリングストーンを含む複数のストーンを輪形に繋いだストーンサークルからなり、前記恥骨付近に配置される第１チャクラ部と、
前記第１チャクラ部に接続され、該第１チャクラ部から上方に延びる第１連鎖部材と、
前記第１連鎖部材に接続され、第２番目の色のヒーリングストーンを有しかつ仙骨付近に配置される第２チャクラ部と、
前記第２チャクラ部に接続され、該第２チャクラ部から上方に延びる第２連鎖部材と、
前記第２連鎖部材に接続され、第３番目の色のヒーリングストーンを有しかつ太陽神経叢付近に配置される第３チャクラ部と、
前記第３チャクラ部に接続され、該第３チャクラ部から上方に延びる第３連鎖部材と、
前記第３連鎖部材に接続され、第４番目の色のヒーリングストーンを有しかつ胸骨付近に配置される第４チャクラ部と、
前記第４チャクラ部に接続され、該第４チャクラ部から上方に延びる第４連鎖部材と、
前記第４連鎖部材に接続され、第５番目の色のヒーリングストーンを有しかつ喉付近に配置される第５チャクラ部とを有し、
前記第２ユニットは、
額付近に配置され、第６番目の色のヒーリングストーンを有した第６チャクラ部と、
前記第６チャクラ部に接続され、該第６チャクラ部から頭頂部方向に延びる第５連鎖部材と、
前記第５連鎖部材に接続され、第７番目の色のヒーリングストーンを有しかつ頭頂部付近に配置される第７チャクラ部と、
を具備したことを特徴とするクリスタルヒーリング用具。
【請求項２】
前記第２チャクラ部から第５チャクラ部のうち少なくとも１つのチャクラ部が、複数のヒーリングストーンを輪形に繋いだストーンサークルからなることを特徴とする請求項１に記載のクリスタルヒーリング用具。
【請求項３】
前記第１チャクラ部から第５チャクラ部までの全てが、それぞれ複数のヒーリングストーンを輪形に繋いだストーンサークルからなることを特徴とする請求項２に記載のクリスタルヒーリング用具。
【請求項４】
前記第２ユニットが、頭髪を挟むクリップを備えたことを特徴とする請求項１から３のいずれか１項に記載のクリスタルヒーリング用具。
【請求項５】
前記第１チャクラ部から第７チャクラ部を構成する各ヒーリングストーンが、第１チャクラ部から第７チャクラ部に向かって、虹の分光スペクトルの赤から紫へと変化する色相分布としたことを特徴とする請求項１から３のいずれか１項に記載のクリスタルヒーリング用具。
【請求項６】
前記第１連鎖部材から第４連鎖部材のうちの少なくとも１つの連鎖部材は、該連鎖部材が接続される前記チャクラ部に対して係脱可能なジョイントパーツを備え、互いに異なる長さの連鎖部材に交換可能としたことを特徴とする請求項１から３のいずれか１項に記載のクリスタルヒーリング用具。
【請求項７】
前記第１ユニットと前記第２ユニットに加えて、複数の素子を無端状に繋いでなり使用者の体の周りを囲むよう床面に置かれる第３ユニットをさらに備えたことを特徴とする請求項１から３のいずれか１項に記載のクリスタルヒーリング用具。
【発明の詳細な説明】
【技術分野】
【０００１】
この発明は、体に装着することで癒し効果を期待できるクリスタルヒーリング用具に関する。
【背景技術】
【０００２】
癒し効果を期待する人々のためのクリスタルヒーリングが知られている。クリスタルヒーリングの一例では、各種クリスタル（例えばアメジストやアクアマリン、ローズクオーツ、マラカイト、ルビー、カーネリアン、トルマリン、ヘマタイト、その他）などからなる複数のヒーリングストーンを、仰向けに寝た体の所定位置（後述する７箇所のチャクラ付近）に配置することにより、癒し効果が得られると考えられている。クリスタルヒーリングの分野において、人間の体は脊髄に沿って７つのチャクラを有している。具体的には、恥骨付近が第１チャクラ、仙骨付近が第２チャクラ、太陽神経叢付近が第３チャクラ、胸骨（あるいは心臓）付近が第４チャクラ、喉付近が第５チャクラ、額付近が第６チャクラ、そして頭頂部が第７チャクラである。
【０００３】
これら７箇所のチャクラと対応した位置にそれぞれヒーリングストーンが載置される。さらにヒーリング効果を高めるために、第１チャクラから第７チャクラに向かって、赤、橙、黄、緑、青、藍、紫というように虹の分光スペクトルに対応した色相分布のヒーリングストーンを用いることが推奨されている。クリスタルは、等軸晶系、正方晶系、斜方晶系、三方晶系、六方晶系、単斜晶系、三斜晶系などの原子構造を有する結晶系ストーンである。また「ヒーリングストーン」は、これら結晶系ストーンをはじめとして、非晶質のオパールや琥珀、真珠などのジェムストーンを含む概念である。
【０００４】
ヒーリングストーンは、特許文献１，２に開示されているような一般的な装身用ジェムストーンとは異なり、１つ１つがばらばらであり、しかも仰向けに寝た体の上あるいは体の周りに配置される。このため、癒しを受ける人が自分自身で全てのヒーリングストーンを各チャクラに対応した位置に正確に置くことは難しい。例えば、恥骨付近（第１チャクラ）のように目から比較的離れた位置にヒーリングストーンを置きたい場合に、１人ではヒーリングストーンの位置を目視で正確に確認することは難しい。しかも、額（第６チャクラ）や頭頂部（第７チャクラ）付近にヒーリングストーンを配置することも簡単ではない。また、せっかく体の上に乗せたヒーリングストーンが転がり落ちてしまうこともある。よって、クリスタルヒーリングは、１人で行なうよりも、癒しを受ける人とヒーラー(healer)とが２名１組となって行なわれるのが通例である。
【先行技術文献】
【特許文献】
【０００５】
【特許文献１】特開２００２−１１９３１２号公報
【特許文献２】特開２００６−３４３６１号公報
【発明の概要】
【発明が解決しようとする課題】
【０００６】
前記したようにクリスタルヒーリングは、１つ１つがばらばらの７個以上のヒーリングストーンを使用する。このためクリスタルヒーリングを１人で簡単に体験しようとしても、各チャクラに応じた位置に所定のヒーリングストーンを配置すること自体が難しい。また、座った状態で体の上に全てのヒーリングストーンを配置することも困難である。しかも１つ１つがばらばらのヒーリングストーンでは、各チャクラごとに決められているヒーリングストーンの配置の順番を忘れたり、順番を間違えて配置したりするおそれがある。また、ヒーリングストーンを紛失しやすいという問題もある。
【０００７】
また、仰向けに寝た体の下（背中と床具との間）にヒーリングストーンを置いてクリスタルヒーリングを行いたい場合には、背中の下に置かれた比較的大粒の単独のヒーリングストーンが“ごつごつ”とした違和感を生じるため、単に痛いだけでなく自律神経等に影響を及ぼし、クリスタルヒーリングの癒し効果を損う原因になることもあった。
【０００８】
従って本発明の目的は、体の所定位置に所定のヒーリングストーンを容易に配置することができ、かつ、座った状態でクリスタルヒーリングを簡便に実施することもできるクリスタルヒーリング用具を提供することにある。
【課題を解決するための手段】
【０００９】
本発明のクリスタルヒーリング用具は、第１ユニットと第２ユニットとを含んでいる。第１ユニットは首に掛ける首輪部を有し、首から下げた状態において下から上に向かって順に、第１チャクラ部と、第１連鎖部材と、第２チャクラ部と、第２連鎖部材と、第３チャクラ部と、第３連鎖部材と、第４チャクラ部と、第４連鎖部材と、第５チャクラ部とを有している。前記第２ユニットは第６チャクラ部と、第５連鎖部材と、第７チャクラ部とを有し、頭部に装着される。
【００１０】
第１チャクラ部は、赤系の第１番目の色のヒーリングストーンを含む複数のストーンを輪形に繋いだストーンサークルからなり、恥骨付近に配置される。第１連鎖部材は第１チャクラ部に接続され、第１チャクラ部から上方に延びる。第２チャクラ部は第２番目の色のヒーリングストーンを有し、第１連鎖部材に接続され、仙骨付近に配置される。第２連鎖部材は第２チャクラ部に接続され、該第２チャクラ部から上方に延びる。第３チャクラ部は第３番目の色のヒーリングストーンを有し、前記第２連鎖部材に接続され、太陽神経叢付近に配置される。第３連鎖部材は第３チャクラ部に接続され、該第３チャクラ部から上方に延びる。第４チャクラ部は第４番目の色のヒーリングストーンを有し、第３連鎖部材に接続され、胸骨付近に配置される。第４連鎖部材は第４チャクラ部に接続され、第４チャクラ部から上方に延びる。第５チャクラ部は第５番目の色のヒーリングストーンを有し、第４連鎖部材に接続され、喉付近に配置される。第６チャクラ部は第６番目の色のヒーリングストーンを有し、額付近に配置される。第５連鎖部材は第６チャクラ部に接続され、第６チャクラ部から頭頂部方向に延びる。第７チャクラ部は第７番目の色のヒーリングストーンを有し、第５連鎖部材に接続され、頭頂部付近に配置される。
【００１１】
１つの実施形態では、前記第２チャクラ部から第５チャクラ部のうち、少なくとも１つのチャクラ部が、複数のヒーリングストーンを輪形に繋いだストーンサークルの形態である。また、前記第２ユニットが頭髪を挟むクリップを備えていてもよい。前記第１チャクラ部から第７チャクラ部を構成する各ヒーリングストーンが、第１チャクラ部から第７チャクラ部に向かって、虹のスペクトルの赤から紫へと変化する色相分布としてもよい。また、前記第１連鎖部材から第４連鎖部材のうちの少なくとも１つの連鎖部材が、前記チャクラ部に対して係脱可能なジョイントパーツを備え、互いに異なる長さの連鎖部材に交換できるようにしてもよい。さらに前記第１ユニットと前記第２ユニットに加えて、複数の素子を無端状に繋いだ第３ユニットが使用者の体の周りを囲むように床面に置かれてもよい。
【発明の効果】
【００１２】
本発明のクリスタルヒーリング用具は、所定のヒーリングストーンを含む各チャクラ部がそれぞれ連鎖部材によって所定の順序で繋がれているため、身体のチャクラに応じたヒーリングストーンを、それぞれのチャクラ付近に配置することが容易となり、座った姿勢あるいは立った姿勢でもクリスタルヒーリングを体験することができる。また、ヒーリングストーンを紛失しにくくすることができる。
【００１３】
前記チャクラ部のうちの少なくとも１つが、比較的小粒の複数のヒーリングストーンを輪形に繋いだストーンサークルの形態をとる場合には、このチャクラ部を安定した状態で体に沿わせることができる。しかも体の下にこのチャクラ部を配置して寝た場合の“ごつごつ感”や痛さが軽減される。
【図面の簡単な説明】
【００１４】
【図１】第１の実施形態に係るクリスタルヒーリング用具を示す正面図。
【図２】図１に示されたクリスタルヒーリング用具の第１ユニットの正面図。
【図３】図１に示されたクリスタルヒーリング用具の第２ユニットの正面図。
【図４】第２の実施形態に係るクリスタルヒーリング用具の第１ユニットの一部を示す正面図。
【図５】第３の実施形態に係るクリスタルヒーリング用具の第１ユニットの正面図。
【発明を実施するための形態】
【００１５】
以下に本発明の第１の実施形態に係るクリスタルヒーリング用具について、図１から図３を参照して説明する。  
クリスタルヒーリングの分野では、人間の体内にチャクラと呼ばれる７つの主要なエネルギーセンターが脊髄に沿って存在すると言われている。具体的には、図１に示すように恥骨付近の第１チャクラＣ１と、仙骨付近の第２チャクラＣ２と、太陽神経叢付近の第３チャクラＣ３と、胸骨（あるいは心臓）付近の第４チャクラＣ４と、喉付近の第５チャクラＣ５と、額付近の第６チャクラＣ６と、頭頂部付近の第７チャクラＣ７である。仙骨は背柱の下端部すなわち腰部に存在する略三角形の骨である。仙骨の上方に存在する太陽神経叢は、胸郭の一番下と臍の間（第１１胸椎から第１２胸椎付近に位置し、東洋医学では第２の脳とも称されている。
【００１６】
図１に示されたクリスタルヒーリング用具１０は、その使用者（癒しを受ける人）Ａの首から下のボディＢに装着する第１ユニット１１と、頭部Ｈに装着する第２ユニット１２と、使用者Ａの周りを取囲むように輪形に配置された第３ユニット（グラウンディングサークル）１３とを含んでいる。
【００１７】
図２は第１ユニット１１を示している。第１ユニット１１は、首に掛ける首輪部２０を有し、首から下げた状態において、ボディＢの脊椎に沿って喉から恥骨付近に向かって、ほぼ一直線に延びるようになっている。首輪部２０には、首に掛ける際に切離される係脱可能なジョイントパーツ２０ａが設けられている。ここで言う「係脱可能」とは、必要に応じて切離したり接続したりすることができることを意味している。
【００１８】
この第１ユニット１１は、首から下げた状態において、下から上に向かって順に、第１チャクラ部２１と、第１連鎖部材３１と、第２チャクラ部２２と、第２連鎖部材３２と、第３チャクラ部２３と、第３連鎖部材３３と、第４チャクラ部２４と、第４連鎖部材３４と、第５チャクラ部２５とを有している。
【００１９】
図３は第２ユニット１２を示している。第２ユニット１２は、額付近に配置される第６チャクラ部２６と、頭頂部付近に配置される第７チャクラ部２７と、第５連鎖部材３５とを備えている。
【００２０】
第１ユニット１１の一部をなす第１チャクラ部２１は、赤系の第１番目の色のヒーリングストーン２１ａを含む複数のストーンを輪形に繋いだストーンサークルの形態をとり、ボディＢの恥骨付近（第１チャクラＣ１付近）に配置される。このヒーリングストーン２１ａは虹に代表される分光スペクトルにおいて赤系のクリスタル、例えばガーネットやルビー、スピネル、ジルコン、レッドトルマリン、紅水晶などに代表されるストーンを使用することができる。
【００２１】
この実施形態で言う「赤系の色」は波長が５９０〜７８０ｎｍの可視光線である。「青系の色」の波長は３８０〜５００ｎｍである。青系の色の中でも、分光スペクトルが最も短波長側に位置する紫は３８０〜４３０ｎｍ、藍は４３０〜４６０ｎｍ、青は４６０〜５００ｎｍである。緑は５００〜５７０ｎｍ、黄は５７０〜５９０ｎｍ、橙は５９０〜６１０ｎｍ、赤は６１０〜７８０ｎｍの可視光線である。ただしこれらの可視光線から受ける色彩感覚には個人差があるため、前記波長はあくまで目安である。
【００２２】
なお、第１チャクラ部２１の下方に、例えばヘマタイトやブラックトルマリン、スモーキークォーツ等の主として黒系のヒーリングストーン２８ａ（図２に示す）を有するグラウンディング部２８が設けられていてもよい。
【００２３】
第１連鎖部材３１の一端が第１チャクラ部２１に接続されている。この第１連鎖部材３１は第１チャクラ部２１から上方に延びている。第１連鎖部材３１は、例えば水晶等のクリスタルからなるヒーリングストーンを含んでいてもよいし、クリスタル以外の素子（例えば白蝶貝、夜光貝などの貝類や真珠、珊瑚など装飾性の高い材料）からなるものでもよい。
【００２４】
第２チャクラ部２２は第１連鎖部材３１の他端に接続されている。第２チャクラ部２２は、分光スペクトルにおいて赤に近い第２番目の色（橙色系）のヒーリングストーン２２ａを含む複数のストーンを輪形に繋いだストーンサークルの形態をとり、ボディＢの仙骨に近い位置（第２チャクラ付近）に配置される。第２チャクラ部２２のヒーリングストーン２２ａとしては、オレンジカルサイトやセレナイト、アンバーなどの橙色系のストーンが推奨されるが、他の色のストーンが使用されてもよい。
【００２５】
第２連鎖部材３２の一端が第２チャクラ部２２に接続されている。この第２連鎖部材３２は、第２チャクラ部２２から上方に延びている。第２連鎖部材３２は、第１連鎖部材３１と同様に、例えば水晶等のクリスタルからなるヒーリングストーンを含んでいてもよいし、クリスタル以外の素子を含んでいてもよい。
【００２６】
第３チャクラ部２３は第２連鎖部材３２の他端に接続されている。第３チャクラ部２３は、分光スペクトルにおいて黄系の第３番目の色のヒーリングストーン２３ａを含む複数のストーンを輪形に繋いだストーンサークルの形態をとり、ボディＢの太陽神経叢に近い位置（第３チャクラ付近）に配置される。第３チャクラ部２３のヒーリングストーン３２ａとしては、例えばローズクォーツやレモンクォーツ、イエローサファイヤ、フローライトのような黄系のストーンが推奨されるが、他の色のストーンを使用することもできる。
【００２７】
第３連鎖部材３３の一端が第３チャクラ部２３に接続されている。この第３連鎖部材３３は、第３チャクラ部２３から上方に延びている。第３連鎖部材３３は、第１連鎖部材３１と同様に、例えば水晶等のクリスタルからなるヒーリングストーンを含んでいてもよいし、クリスタル以外の素子を含んでいてもよい。
【００２８】
第４チャクラ部２４は第３連鎖部材３３の他端に接続されている。第４チャクラ部２４は、分光スペクトルにおいて緑系の第４番目の色のヒーリングストーン２４ａを含む複数のストーンを輪形に繋いだストーンサークルの形態をとり、ボディＢの胸骨付近（第４チャクラ付近）に配置される。第４チャクラ部２４のヒーリングストーン２４ａとしては、例えばエメラルドやグリーントルマリン、マラカイト等のような緑系のストーンが推奨されるが、他の色のストーンが使用されてもよい。
【００２９】
第４連鎖部材３４の一端が第４チャクラ部２４に接続されている。この第４連鎖部材３４は、第４チャクラ部２４から上方に延びている。第４連鎖部材３４は、第１連鎖部材３１と同様に、例えば水晶等のクリスタルからなるヒーリングストーンを含んでいてもよいし、クリスタル以外の素子を含んでいてもよい。
【００３０】
第５チャクラ部２５は第４連鎖部材３４の他端に接続されている。第５チャクラ部２５は、分光スペクトルにおいて青系の第５番目の色のヒーリングストーン２５ａを含む複数のストーンを輪形に繋いだストーンサークルの形態をとり、ボディＢの喉付近（第５チャクラ付近）に配置される。第５チャクラ部２５のヒーリングストーン２５ａとしては、例えばブルートパーズやアクアマリン、セレスタイ等のような青系のストーンが推奨されるが、他の色のストーンが使用されてもよい。
【００３１】
図３は、第２ユニット１２を示している。第２ユニット１２の一部をなす第６チャクラ部２６は、頭部Ｈの額付近（第６チャクラ付近）に配置される。第６チャクラ部２６のヒーリングストーン２６ａは、分光スペクトルにおいて藍系の第６番目の色が推奨されるが、他の色で代用できる場合もある。第６チャクラ部２６のヒーリングストーン２６ａとしては、例えばインディコライト（ブルートルマリン）やラピスラズリのような青系のストーンを使用することができる。
【００３２】
第５連鎖部材３５の一端が第６チャクラ部２６に接続されている。この第５連鎖部材３５は、第１連鎖部材３１と同様に、例えば水晶等のクリスタルからなるヒーリングストーンを含んでいてもよいし、クリスタル以外の素子を含んでいてもよい。第５連鎖部材３５は、第６チャクラ部２６から第７チャクラ部２７に向かって頭頂部の方向に延びる。
【００３３】
第７チャクラ部２７のヒーリングストーン２７ａは、分光スペクトルにおいて紫系の第７番目の色のストーン、例えばフローライトやアイオライト、アメジストのような紫系のストーンが推奨されるが、他の色のストーンで代用できる場合もある。例えばヒーリングストーン２７ａとして、ダイヤモンドあるいは水晶のように無色透明なクリスタルが使用されてもよい。
【００３４】
第７チャクラ部２７には、頭髪を把持可能なクリップ４０が設けられている。このクリップ４０を使って第２ユニット１２を頭髪に装着すると、第６チャクラ部２６が額付近（第６チャクラ付近）に配置されるとともに、第７チャクラ部２７が頭頂部に近い位置（第７チャクラ付近）に配置される。
【００３５】
前記したように１つの実施形態では、第１チャクラ部２１から第７チャクラ部２７までの各ヒーリングストーン２１ａ〜２７ａが、分光スペクトルの赤から紫の色相分布に対応した配色になっているとよい。しかしヒーリングストーン２１ａ〜２７ａの色や材質は必ずしも前記実施形態に限定されるものではなく、要するに使用者の好み等に応じて選択することができる。
【００３６】
第３ユニット１３（図１に示す）は、第１ユニット１１と第２ユニット１２を着用した身体を囲むよう床面に置かれる。この第３ユニット１３は、第１ユニット１１と第２ユニット１２が身体に及ぼすパワーが外部に発散しないようにシールドするためのバリヤ機能を担っている。
【００３７】
第３ユニット１３は、ヒーリングストーンを含む複数の素子（グラウンディング素子５０）を無端状に繋いだものである。グラウンディング素子５０としては、例えば水晶等のクリスタルからなるヒーリングストーンでもよいし、クリスタル以外の素子（例えば白蝶貝、夜光貝などの貝類や真珠、珊瑚など装飾性の高い材料）が使われてもよい。この第３ユニット１３は、複数のセグメント１３ａ〜１３ｎを無端状に接続したものである。すなわち希望する長さに応じた数のセグメント１３ａ〜１３ｎを接続できるように、係脱可能なジョイント部５１を有している。ここで言う「係脱可能」とは、必要に応じて切離したり接続したりすることができることを意味している。
【００３８】
以上説明した実施形態のクリスタルヒーリング用具１０の第１ユニット１１と第２ユニット１２によれば、使用者の各チャクラＣ１〜Ｃ７に応じた所定のヒーリングストーン２１ａ〜２７ａを１人でも容易に体の所定位置に配置することができる。また、椅子や寝台等に座った姿勢でもクリスタルヒーリングを簡便に体験することができる。
【００３９】
そしてこのクリスタルヒーリング用具１０は、第１ユニット１１を構成するチャクラ部２１〜２５が、それぞれ連鎖部材３１〜３４によって一直線に繋がれているため、第１ユニット１１の首輪部２０を首に掛けるだけで、第１チャクラ部２１から第５チャクラ部２５までの各ヒーリングストーン２１ａ〜２５ａを体の所定位置に容易に配置することができる。しかもヒーリングストーン２１ａ〜２５ａを紛失する可能性を低くすることができる。
【００４０】
また第２ユニット１２のクリップ４０を頭髪に取付けることにより、第６チャクラ部２６と第７チャクラ部２７の各ヒーリングストーン２６ａ，２７ａを頭部の所定位置に容易に配置することができる。しかも各ヒーリングストーン２６ａ，２７ａが連鎖部材３５によって繋がれているため、ヒーリングストーン２６ａ，２７ａを紛失しにくくすることができる。
【００４１】
第１チャクラ部２１を構成する赤系のヒーリングストーン２１ａは、他の色のヒーリングストーンと比較して彩度が高い。しかも赤系のヒーリングストーン２１ａを含む第１チャクラ部２１は、緑系のヒーリングストーン２４ａを含む第４チャクラ部２４に対して補色関係にある。このため目から遠い位置にある第１チャクラ部２１であっても、第１チャクラ部２１や第４チャクラ部２４が体の中心線上に位置しているか否かを判断しやすい。
【００４２】
前記第１チャクラ部２１は複数のヒーリングストーン２１ａを環状に繋いだストーンサークルの形態をとるため目視しやすく、かつ、複数のヒーリングストーン２１ａを体に沿わせることができる。第１チャクラ部２１を体の所定位置に配置できるため、第１ユニット１１全体を身体の所定位置に容易にかつ短時間に配置することができ、ヒーリングストーン２１ａ〜２５ａの配置の順番を間違えることも回避される。
【００４３】
この実施形態のクリスタルヒーリング用具１０は、第１チャクラ部２１から第５チャクラ部２５が、それぞれ複数のヒーリングストーンを輪形に繋いだストーンサークルの形態をとるため、各チャクラ部２１〜２５を使用者の体に沿って安定した状態で配置することができる。このため、着座姿勢で第１ユニット１１を首から掛けたときに第１ユニット１１が垂直軸回りに回転してしまうような不安定挙動を抑制できる。また、仰向けに寝た体の上に配置されたヒーリングストーン２１ａ〜２５ａが転がり落ちることもなく、安定した状態で使用できる。
【００４４】
このように本実施形態のチャクラ部２１〜２５は、いずれも、比較的小粒の複数のヒーリングストーンを輪形に繋いでなるストーンサークルの形態をとるため、大粒の１個のヒーリングストーンを単独で使用するチャクラ部と比較して、体の下にヒーリングストーンを配置してその上に寝るといった使い方をした場合でも、チャクラ部が体に当たることによる“ごつごつ感”を軽減することができるという利点もある。
【００４５】
図４は、第２の実施形態に係るクリスタルヒーリング用具の第１ユニット１１の一部を示している。この実施形態では、使用者の体格等に応じた長さの第１ユニット１１を容易に得ることができるようにするために、長さＬ１の連鎖部材３１の両端に、それぞれ係脱可能なジョイントパーツ６０，６１を設けている。ジョイントパーツ６０，６１を、チャクラ部（例えば第１チャクラ部２１と第２チャクラ部２２）から外すことにより、異なる長さＬ２の他の連鎖部材３１´に交換することができる。この連鎖部材３１´の両端にもジョイントパーツ６０´，６１´が設けられている。これら連鎖部材３１，３１´と同容に、他の連鎖部材３２〜３４（図２に示す）も、異なる長さの連鎖部材に交換できるように、ジョイントパーツ６０，６１を備えているとよい。それ以外の構成と作用および効果は第１の実施形態のクリスタルヒーリング用具１０と共通である。
【００４６】
図５は、第３の実施形態に係るクリスタルヒーリング用具の第１ユニット１１Ａを示している。この第１ユニット１１Ａの第２チャクラ部２２は、大粒の１個のヒーリングストーン２２ｂからなる。第４チャクラ部２４も大粒の１個のヒーリングストーン２４ｂからなる。それ以外の構成と作用および効果は第１の実施形態のクリスタルヒーリング用具１０と共通である。
【００４７】
なお、この発明を実施するに当たり、第１ユニットあるいは第２ユニットを構成するヒーリングストーンの材質や色の具体的な態様を適宜に選択できることは言うまでもない。また、各チャクラ部や連鎖部材、首輪部等の具体的な形状や構成、配置についても、本発明を逸脱しない範囲で種々に変更して実施できるものである。
【符号の説明】
【００４８】
１０…クリスタルヒーリング用具、１１，１１Ａ…第１ユニット、１２…第２ユニット、１３…第３ユニット、２０…首輪部、２１…第１チャクラ部、２１ａ…ヒーリングストーン、２２…第２チャクラ部、２２ａ…ヒーリングストーン、２３…第３チャクラ部、２３ａ…ヒーリングストーン、２４…第４チャクラ部、２４ａ…ヒーリングストーン、２５…第５チャクラ部、２５ａ…ヒーリングストーン、２６…第６チャクラ部、２６ａ…ヒーリングストーン、２７…第７チャクラ部、２７ａ…ヒーリングストーン、３１…第１連鎖部材、３２…第２連鎖部材、３３…第３連鎖部材、３４…第４連鎖部材、３５…第５連鎖部材、４０…クリップ、６０，６１…ジョイントパーツ。
【要約】
【課題】身体の各チャクラに対応した位置に所定のヒーリングストーンを簡単に配置することができ、座った姿勢でも使用できるクリスタルヒーリング用具を提供する。
【解決手段】クリスタルヒーリング用具１０は、首から下げる第１ユニット１１と、頭部に装着する第２ユニット１２とを有している。第１ユニット１１は、下から順に、恥骨付近に配置される第１チャクラ部２１と、第１連鎖部材３１と、仙骨付近に配置される第２チャクラ部２２と、第２連鎖部材３２と、太陽神経叢付近に配置される第３チャクラ部２３と、第３連鎖部材３３と、胸骨付近に配置される第４チャクラ部２４と、第４連鎖部材３４と、喉付近に配置される第５チャクラ部２５とを含んでいる。第２ユニット１２は、額付近に配置される第６チャクラ部２６と、第５連鎖部材３５と、頭頂部付近に配置される第７チャクラ部２７とを含んでいる。チャクラ部２１〜２５は、それぞれ、複数のヒーリングストーンを環状に繋いだストーンサークルの形態である。
【選択図】図１【図１】
0005409937.tif 000002
【図２】
0005409937.tif 000003
【図３】
0005409937.tif 000004
【図４】
0005409937.tif 000005
【図５】
0005409937.tif 000006